(57)【要約】  【課題】受療者自身の体重を利用して尾てい骨を押圧することにより安全且つ適正に骨盤を矯正すること。  【解決手段】筒体ケーシング７内に、弾性体１０を介して上下方向に動作可能に配置した尾てい骨接触治療部体９ａを配置し、その上端にスポンジなどによる尾てい骨部接触緩衝体１１を設ける。受療者は、尾てい骨部接触緩衝体１１を跨いで、その上に腰掛ける姿勢を取り、尾てい骨を尾てい骨部接触緩衝体１１の上に乗せる。そしてそのままの姿勢で両足を床から軽く浮かせて体重を尾てい骨部接触緩衝体１１の上にかけて尾てい骨を下から押し上げる。そのとき受療者は上半身を姿勢保持体２に押し当て、両手で把手を握った状態で、まっすぐな姿勢を維持し続ける。  【選択図】図１
2012124175.tif 000002
【特許請求の範囲】
【請求項１】
縦方向に長い筒体ケーシングと、
弾性体を介して前記筒体ケーシングの軸方向に滑動可能に配置した尾てい骨接触治療部体と、
前記尾てい骨接触治療部体の上端に設けた尾てい骨部接触緩衝体と、
前記筒体ケーシングに向き合う縦方向の姿勢保持面を有する姿勢保持体と、
前記姿勢保持体に固定した把手と、
から成る腰痛治療具。
【請求項２】
水平台座板を前記姿勢保持面に対し垂直に固定し、この水平台座板の上面に前記筒体ケーシングの下端を連結することにより、前記筒体ケーシングを姿勢保持体に固定支持して成る請求項１に記載の腰痛治療具。
【請求項３】
前記姿勢保持体を水平な基台上に固定し、基台の水平面及び前記姿勢保持面に対しそれぞれ直交するように側面板を左右一対固定し、これら側面板の間に水平台座板を取り付けることにより、前記筒体ケーシングを姿勢保持体に固定支持して成る請求項１に記載の腰痛治療具。
【請求項４】
縦方向に長い筒体ケーシングと、
弾性体を介して前記筒体ケーシングの軸方向に滑動可能に配置した尾てい骨接触治療部体と、
前記尾てい骨接触治療部体の上端に設けた尾てい骨部接触緩衝体と、
前記筒体ケーシングに向き合う縦方向の姿勢保持面を有する姿勢保持体と、
前記姿勢保持体に固定した把手と、
前記姿勢保持面に対し垂直に固定し、その上面に前記筒体ケーシングの下端を連結して、前記筒体ケーシングを姿勢保持体に固定支持する水平台座板と、
前記姿勢保持体を固定する水平な基台と、
前記基台の水平面及び前記姿勢保持面に対しそれぞれ直交するように固定し、前記水平台座板の左右を支持する左右一対の側面板と、
前記側面板の外側面と前記姿勢保持面と前記基台の水平面とにより形成される隅角部と、前記隅角部に取り外し可能に配置した直方体の足置きブロックと、
から成る腰痛治療具。
【発明の詳細な説明】
【技術分野】
【０００１】
本発明は、仙骨、腸骨又は尾骨等の矯正即ち、それらにより構成される骨盤の矯正による腰痛治療具に関する。
【背景技術】
【０００２】
腰痛を緩和するためには骨盤矯正が最も一般的な方法である。
従来、骨盤矯正のためには骨盤を締め付けるベルトや牽引装置を用いる治療法があり、それらによる骨盤のみへの圧迫は一時的な効果は認められるが、ベルト等の使用を終了して一定時間が経つと痛みが再度発生するなど、持続性に欠けるものであった。
また、上記装置においてギアードモーターを用いるもの（特許文献１）や、受療者に軽度な運動を求めるもの（特許文献２）があるが、これらは座位または仰臥位等で使用される必要があり、身体を起こした状態、即ち腰椎にとって安定した状態である「立位」で骨盤の矯正がなされるものではなかった。加えてモーターなどの機械を用いる場合は、使用方法によっては過度の矯正がなされることがあった。
【先行技術文献】
【特許文献】
【０００３】
【特許文献１】特開２０１０−１８８１７１号公報
【特許文献２】特開平８−１２６７１８号公報
【発明の概要】
【発明が解決しようとする課題】
【０００４】
解決しようとする問題点は、以下に示すものである。
１．骨盤への圧迫の場合、一時的な効果のみしか認められなかった点。
腰椎にとって安定した状態である「立位」で骨盤の矯正がなされなかった点。
モーターを用いる装置においては過度の矯正がなされる場合がある点。
４．軽度な運動を求める装置においては利便性に欠け、使用者が限定されていた点。
上記の問題点に対し、「立位」で骨盤の矯正が可能であり、受療者自身の体重を利用して尾てい骨を押圧することにより安全且つ適正に骨盤を矯正する腰痛治療具を提供することを目的とする。
【課題を解決するための手段】
【０００５】
本発明は、請求項１記載のごとく、縦方向に長い筒体ケーシングと、弾性体を介して前記筒体ケーシングの軸方向に滑動可能に配置した尾てい骨接触治療部体と、前記尾てい骨接触治療部体の上端に設けた尾てい骨部接触緩衝体と、前記筒体ケーシングに向き合う縦方向の姿勢保持面を有する姿勢保持体と、前記姿勢保持体に固定した把手と、から成る腰痛治療具である。【０００６】
また、請求項２記載のごとく、水平台座板を前記姿勢保持面に対し垂直に固定し、この水平台座板の上面に前記筒体ケーシングの下端を連結することにより、前記筒体ケーシングを姿勢保持体に固定支持して成る請求項１に記載の腰痛治療具である。【０００７】
また、請求項３記載のごとく、前記姿勢保持体を水平な基台上に固定し、基台の水平面及び前記姿勢保持面に対しそれぞれ直交するように側面板を左右一対固定し、これら側面板の間に水平台座板を取り付けることにより、前記筒体ケーシングを姿勢保持体に固定支持して成る請求項１に記載の腰痛治療具である。【０００８】
また、請求項４記載のごとく、縦方向に長い筒体ケーシングと、弾性体を介して前記筒体ケーシングの軸方向に滑動可能に配置した尾てい骨接触治療部体と、前記尾てい骨接触治療部体の上端に設けた尾てい骨部接触緩衝体と、前記筒体ケーシングに向き合う縦方向の姿勢保持面を有する姿勢保持体と、前記姿勢保持体に固定した把手と、前記姿勢保持面に対し垂直に固定し、その上面に前記筒体ケーシングの下端を連結して、前記筒体ケーシングを姿勢保持体に固定支持する水平台座板と、前記姿勢保持体を固定する水平な基台と、
前記基台の水平面及び前記姿勢保持面に対しそれぞれ直交するように固定し、前記水平台座板の左右を支持する左右一対の側面板と、前記側面板の外側面と前記姿勢保持面と前記基台の水平面とにより形成される隅角部と、前記隅角部に取り外し可能に配置した直方体の足置きブロックと、から成る腰痛治療具である。
【発明の効果】
【０００９】
請求項１の発明によれば、腰痛治療具の尾てい骨接触治療部体に「立位」で乗ることにより、「受療者の自重」を利用して、脊椎落下を尾骨直下からの上部への垂直圧迫でリセットすることが可能である。
「立位」でなされることにより腰椎が安定した状態で、仙骨・腸骨又は尾骨等の位置の矯正、即ちそれらの骨により構成される骨盤の矯正を行うことができ、持続的な腰痛の緩和が可能となる。
尾てい骨接触治療部体が弾性体を介して滑動可能に配置され、受療者が尾てい骨接触治療部体に乗ったまま尾てい骨接触治療部体を上下に振動させることにより、骨盤における尾てい骨接触治療部体の位置の微調整が可能となり、適切な位置での骨盤矯正が可能となる。【００１０】
請求項２の発明によれば、筒体ケーシングを適切な高さに設けられた水平台座板の上面に固定し、姿勢保持体に対して固定支持することになり、筒体ケーシングの長さを短くすることが可能となる。これにより筒体ケーシングの根元に位置して固定を行うボルトにモーメント力が過大に負荷されることがなくなり、故障が発生することを抑えることができ、あわせて筒体ケーシングを短くすることによりコストを抑えることもできる。【００１１】
請求項３の発明によれば、水平台座板と姿勢保持体の姿勢保持面の両方に直交するように固定する側面板を左右一対で設けることにより、受療者の体重が負荷された状態であっても水平台座板の姿勢を一定に保つことができる。【００１２】
請求項４の発明によれば、側面板の外側面と基台の水平面と姿勢保持面の３つの面から形成される隅角部に、それぞれの面に同時に接するような直方体の足置きブロックを定位置に安定して設けることにより本治療具に乗った状態で「立位」で自己の体重を尾てい骨部接触緩衝体に付加することを容易にすること、即ち本治療具に乗った状態で足置きブロックから足をはずすのに適切な高さを選択し容易に調整できるとともに、受療者の身長に合わせて高さ調整が容易となり、本治療具を用いることができる。
【図面の簡単な説明】
【００１３】
【図１】本願実施例１の腰痛治療具の全体図である。
【図２】本願実施例１の腰痛治療具の展開図である。
【図３】本願実施例２の腰痛治療具の全体図である。
【図４】本願実施例３の腰痛治療具の全体図である。
【図５】本願実施例１の木製手腕保持部を背面に用いた場合を示した概略の説明図である。
【図６】本願実施例１の木製手腕保持部を肘掛として用いた場合を示した概略の説明図である。
【図７】本願実施例１の木製手腕保持部を前面に用い、胸部や腹部を姿勢保持面に当てた場合の概略の説明図である。
【発明を実施するための形態】
【００１４】
（実施例１）
以下、本発明の実施例１について図１、図２を用いながら説明する。
【００１５】
円筒状のケーシング７の軸方向を垂直にして、ケーシング７よりも径が小さい内側筒体ケーシング８及び尾てい骨接触治療部体９ａを挿入する。この際、内側筒体ケーシング８の下部には弾性体１０であるコイルバネを設けて、内側筒体ケーシング８と尾てい骨接触治療部体９ａとを上下方向にケーシング７と相対的に滑動できるように配置する。このように配置することにより、尾てい骨接触治療部体９ａは弾性体１０を介してケーシング７の軸方向に滑動可能に配置していることとなる。
【００１６】
尾てい骨接触治療部体９ａは円筒形状で、受療者の身体の大きさにより径を変更することができるものであり、通常受療者が接する面は平面としている。ただし、受療者の腰痛の症状によって受療者が接する面に突起付の尾てい骨接触治療部体９ｂを用いることも可能である。
【００１７】
また尾てい骨接触治療部体９ａおよび９ｂの受療者側端面中央部には尾てい骨部接触緩衝体１１としてスポンジを設けて、受療者の尾てい骨への過度の圧迫を避ける構造となっている。
【００１８】
筒体ケーシング７を支える基礎は、水平台座板６とその水平台座板６の左右両側に設けた一対の側面板３及び基台５により構成し、筒体ケーシング７は基礎を構成する水平台座板６とボルト１２、ワッシャー１３及びナット１４により固定している。
【００１９】
尾てい骨部接触緩衝体９ａの上に受療者が乗った場合にその受療者が自己の姿勢を保持するために用いる姿勢保持体２は、上下方向に長い板状で姿勢保持面を有し、筒体ケーシング７に隣接するように設け、基台５・側面板３・水平台座板６に固定する。
【００２０】
受療者が尾てい骨部接触緩衝体１１に乗る場合に使用する把手は、姿勢保持体２に固定する。受療者の足置きブロック１５は、直方体で、側面板３の外側面と姿勢保持体２の姿勢保持面と基台の水平面との３つの面から形成される隅角部に、それぞれの面に同時に接するように配置する。
【００２１】
上記のような実施形態の腰痛治療具１の使用方法を、図５を用いて説明する。図５は把手である手腕保持部４を、姿勢保持体２に背面が接するように用いた場合を示した図である。受療者は腰痛治療具１の筒体ケーシング７にまたがるようにし、尾てい骨を尾てい骨部接触緩衝体１１にあてる。この際受療者は立位で肩幅程度に開脚するようにする。受療者は姿勢保持体２に背中をもたれかけ、把手である手腕保持部４に上から受療者の後方向に腕をまわし、ひじの内側に把手が位置するようにし、前腕部を把手の下側から受療者の前方向にもってくることにより、姿勢を立位に維持したまま安定を保つことができる。受療者の症状にもよるが、例えば１回５分で１日２回程度腰痛治療具１を使用することにより骨盤の矯正ができ、腰痛が緩和できる。
【００２２】
足置きブロック１５は直方体であるので、側面板３の外側面と姿勢保持体２の姿勢保持面、および基台５の水平面の３つの面から形成される隅角部に３つの面と同時に接しながら容易に位置決めが可能であり、本治療具に乗った状態で「立位」で自己の体重を尾てい骨部接触緩衝体１１に容易に付加すること、即ち本治療具に乗った状態で足置きブロック１５から足をはずすのに適切な高さを選択し容易に調整できるとともに、足置きブロック１５を2個以上重ねたり、高さの異なる足置きブロックに交換するなどすれば、受療者の身長に合わせて高さ調整が容易となり、本治療具を用いることができる。
【００２３】
尾てい骨部接触緩衝体１１に尾てい骨をあてる際に、尾てい骨接触治療部体９ａが弾性体を介して滑動可能に配置しているため、受療者が尾てい骨接触治療部体９ａに乗ったまま尾てい骨接触治療部体９ａを上下に振動し、骨盤における尾てい骨接触治療部体９ａの位置の微調整を行うようにする。図６は、把手である木製手腕保持部４を肘掛として本発明に係る腰痛治療具を用いた場合を示した図であり、図７は姿勢保持体２に対して胸部や腹部を当てるようにして本発明に係る腰痛治療具を用いた場合を示したものである。
【００２４】
（実施例２）
本発明の実施例２について図３を用いながら説明する。
筒体ケーシング７内部の構成は実施例１と同じである。
本実施例は、筒体ケーシング７を、基礎を構成する基台５にボルト１２、ワッシャー１３及びナット１４により直接固定したものである。
【００２５】
筒体ケーシング７の縦方向への長さを長くすることにより、実施例１よりも構成部品が少なく、シンプルな構成となる。
【００２６】
（実施例３）
本発明の実施例３について図４を用いながら説明する。
筒体ケーシング７内部の構成は実施例１と同じである。
本実施例において、筒体ケーシング７を支える基礎は、水平台座板６及び基台５により構成し、筒体ケーシング７は基礎を構成する水平台座板６とボルト１２、ワッシャー１３及びナット１４により固定している。水平台座板６は姿勢保持体２と棚受１７で固定され、姿勢保持体２と基台５はボルト類で固定する。
【００２７】
水平台座板６を姿勢保持板２に固定するのみであるので、実施例２と同様実施例１よりも構成物品が少なく、シンプルな構成となる。
【００２８】
図１においてはケーシング７及び尾てい骨接触治療部体９ａはその上端面が、受療者を傷つけないために円形状となっているが、それに限定されるものではなく、例えば楕円形状となっていてもよい。また、図１においては尾てい骨接触治療部体９ａの形状が受療者によって変更されることを考慮して内側筒体ケーシング８と分離した構成を採用しているが、一体となった構造としても問題ない。加えて円筒状のケーシング７よりも尾てい骨接触治療部体９ａの径が小さく、尾てい骨接触治療部体９ａがケーシング７の内部に配置される構成となっているが、この構成に限定されるものではなく、尾てい骨接触治療部体９ａがケーシング７に覆いかぶさるような形状のものであってもさしつかえない。
【００２９】
弾性体１０は受療者の体重や症状によって変更することが可能とし、図２においてはコイルバネで示してあるが、板バネやゴムとすることも可能である。
尾てい骨接触治療部体９ａもしくは９ｂは受療者と接触することから木製であることが好ましいが、受療者の症状によってはより柔らかいゴムや、より硬いアルミなどの金属製とすることも可能である。
【００３０】
図２では水平台座板６とケーシング７の固定はボルトとしているが、これに限定されるものではなく、例えばくさびや、はめあいにより固定することも考えられる。
【００３１】
図５及び図６の把手である手腕保持部４は棒状で示しているが、形状がこれに限定されるものではなく板状のものであっても問題ない。
【００３２】
手腕保持棒４は図３では姿勢保持板２に高さ調整が可能なように結合している。
【符号の説明】
【００３３】
１  腰痛治療具
２  姿勢保持板
３  側面板
４  手腕保持部
５  基台
６  水平台座板
７  筒体ケーシング
８  内側筒体ケーシング
９ａ  尾てい骨接触治療部体
９ｂ  突起付尾てい骨接触治療部体
１０  弾性体
１１  尾てい骨部接触緩衝体
１２  ケーシング固定用ボルト
１３  ケーシング固定用ワッシャー
１４  ケーシング固定用ナット
１５  足置きブロック
１６  人体
１７  棚受
【図１】
2012124175.tif 000003
【図２】
2012124175.tif 000004
【図３】
2012124175.tif 000005
【図４】
2012124175.tif 000006
【図５】
2012124175.tif 000007
【図６】
2012124175.tif 000008
【図７】
2012124175.tif 000009
【手続補正書】
【提出日】平成25年11月6日(2013.11.6)
【手続補正１】
【補正対象書類名】特許請求の範囲
【補正対象項目名】全文
【補正方法】変更
【補正の内容】
【特許請求の範囲】
【請求項１】
縦方向に長い筒体ケーシング（７）と、
弾性体（１０）を介して前記筒体ケーシング（７）の軸方向に滑動可能に配置した尾てい骨接触治療部体（９ａ）と、
前記尾てい骨接触治療部体（９ａ）の上端に設けた尾てい骨接触緩衝体（１１）と、を備え、
前記筒体ケーシング（７）の前記尾てい骨接触治療部体（９ａ）上に尾てい骨を当てる際に、受療者の背中を接触すべき姿勢保持面を有する姿勢保持体（２）と、
受療者の手腕を絡めるべき把手と、を設け、
前記把手は前記姿勢保持体（２）の側部で、受療者の脇下から腰までの間のいずれかの位置に固定して成る腰痛治療具。
【請求項２】
水平台座板（６）を前記姿勢保持面に対し垂直に固定し、この水平台座板（６）の上面に前記筒体ケーシング（７）の下端を連結することにより、前記筒体ケーシング（７）を姿勢保持体（２）に固定支持して成る請求項１に記載の腰痛治療具。
【請求項３】
前記姿勢保持体（２）を水平な基台（５）上に固定し、基台（５）の水平面及び前記姿勢保持面に対しそれぞれ直交するように側面板（３，３）を左右一対固定し、これら側面板（３、３）の間に、前記筒体ケーシング（７）の下端を連結した水平台座板（６）を取り付けることにより、前記筒体ケーシング（７）を姿勢保持体（２）に固定支持して成る請求項１に記載の腰痛治療具。
【請求項４】
縦方向に長い筒体ケーシング（７）と、
弾性体（１０）を介して前記筒体ケーシング（７）の軸方向に滑動可能に配置した尾てい骨接触治療部体（９ａ）と、
前記尾てい骨接触治療部体（９ａ）の上端に設けた尾てい骨接触緩衝体（１１）と、を備え、
前記筒体ケーシング（７）の前記尾てい骨接触治療部体（９ａ）上に尾てい骨を当てた際に、受療者の背面を接触すべき姿勢保持面を有する姿勢保持体（２）と、
受療者の手腕を絡めるべき把手と、を設け、
前記把手は前記姿勢保持体（２）の側部で、受療者の脇下から腰までの間のいずれかの位置に固定し、
更に前記姿勢保持面に対し垂直に固定し、その上面に前記筒体ケーシング（７）の下端を連結して、前記筒体ケーシング（７）を姿勢保持体（２）に固定支持する水平台座板（６）と、
前記姿勢保持体（２）を固定する水平な基台（５）と、
前記基台（５）の水平面及び前記姿勢保持面に対しそれぞれ直交するように固定し、前記水平台座板（６）の左右を支持する左右一対の側面板（３、３）と、
前記側面板（３、３）の外側面と前記姿勢保持面と前記基台（５）の水平面とにより形成される隅角部と、前記隅角部に取り外し可能に配置した直方体の足置きブロック（１５、１５）と、
から成る腰痛治療具。
【手続補正２】
【補正対象書類名】明細書
【補正対象項目名】０００５
【補正方法】変更
【補正の内容】
【０００５】
本発明は、請求項１記載のごとく、縦方向に長い筒体ケーシング（７）と、弾性体（１０）を介して前記筒体ケーシング（７）の軸方向に滑動可能に配置した尾てい骨接触治療部体（９ａ）と、前記尾てい骨接触治療部体（９ａ）の上端に設けた尾てい骨接触緩衝体（１１）と、を備え、前記筒体ケーシング（７）の前記尾てい骨接触治療部体（９ａ）上に尾てい骨を当てる際に、受療者の背中を接触すべき姿勢保持面を有する姿勢保持体（２）と、受療者の手腕を絡めるべき把手と、を設け、
前記把手は前記姿勢保持体（２）の側部で、受療者の脇下から腰までの間のいずれかの位置に固定して成る腰痛治療具である。
【手続補正３】
【補正対象書類名】明細書
【補正対象項目名】０００６
【補正方法】変更
【補正の内容】
【０００６】
また、請求項２記載のごとく、水平台座板（６）を前記姿勢保持面に対し垂直に固定し、この水平台座板（６）の上面に前記筒体ケーシング（７）の下端を連結することにより、前記筒体ケーシング（７）を姿勢保持体（２）に固定支持して成る請求項１に記載の腰痛治療具である。
【手続補正４】
【補正対象書類名】明細書
【補正対象項目名】０００７
【補正方法】変更
【補正の内容】
【０００７】
また、請求項３記載のごとく、前記姿勢保持体（２）を水平な基台（５）上に固定し、基台（５）の水平面及び前記姿勢保持面に対しそれぞれ直交するように側面板（３，３）を左右一対固定し、これら側面板（３、３）の間に、前記筒体ケーシング（７）の下端を連結した水平台座板（６）を取り付けることにより、前記筒体ケーシング（７）を姿勢保持体（２）に固定支持して成る請求項１に記載の腰痛治療具である。
【手続補正５】
【補正対象書類名】明細書
【補正対象項目名】０００８
【補正方法】変更
【補正の内容】
【０００８】
また、請求項４記載のごとく、縦方向に長い筒体ケーシング（７）と、弾性体（１０）を介して前記筒体ケーシング（７）の軸方向に滑動可能に配置した尾てい骨接触治療部体（９ａ）と、前記尾てい骨接触治療部体（９ａ）の上端に設けた尾てい骨接触緩衝体（１１）と、を備え、前記筒体ケーシング（７）の前記尾てい骨接触治療部体（９ａ）上に尾てい骨を当てた際に、受療者の背面を接触すべき姿勢保持面を有する姿勢保持体（２）と、受療者の手腕を絡めるべき把手と、を設け、前記把手は前記姿勢保持体（２）の側部で、受療者の脇下から腰までの間のいずれかの位置に固定し、更に前記姿勢保持面に対し垂直に固定し、その上面に前記筒体ケーシング（７）の下端を連結して、前記筒体ケーシング（７）を姿勢保持体（２）に固定支持する水平台座板（６）と、前記姿勢保持体（２）を固定する水平な基台（５）と、前記基台（５）の水平面及び前記姿勢保持面に対しそれぞれ直交するように固定し、前記水平台座板（６）の左右を支持する左右一対の側面板（３、３）と、前記側面板（３、３）の外側面と前記姿勢保持面と前記基台（５）の水平面とにより形成される隅角部と、前記隅角部に取り外し可能に配置した直方体の足置きブロック（１５、１５）と、から成る腰痛治療具である。
【手続補正６】
【補正対象書類名】明細書
【補正対象項目名】００３３
【補正方法】変更
【補正の内容】
【００３３】
１  腰痛治療具
２  姿勢保持体
３  側面板
４  手腕保持部
５  基台
６  水平台座板
７  筒体ケーシング
８  内側筒体ケーシング
９ａ  尾てい骨接触治療部体
９ｂ  突起付尾てい骨接触治療部体
１０  弾性体
１１  尾てい骨部接触緩衝体
１２  ケーシング固定用ボルト
１３  ケーシング固定用ワッシャー
１４  ケーシング固定用ナット
１５  足置きブロック
１６  人体
１７  棚受
【国際調査報告】
2012124175.tif 000010
2012124175.tif 000011